【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
粒状粒子およびナノファイバーを含む混合物を含む、粒状濾過媒体混合物であって、
前記粒状粒子が、粒状活性炭、粒状活性アルミナ、粒状珪藻土、粒状シリカゲル、粒状ゼオライト、粒状シリケート、粒状合成モレキュラーシーブ、粒状イオン交換樹脂粒子、粒状鉱物粘土、粒状アルミノシリケート、粒状チタネート、粒状骨炭、粒状ＫＤＦプロセス媒体、粒状ヨウ素化樹脂、粒状セラミック、粒状パーライト、粒状砂、イオン交換樹脂と金属酸化物との粒状混成体、ポリマー吸着樹脂、またはこれらの任意の組合せから選択され、前記ナノファイバーが、合成ポリマーナノファイバー、天然ポリマーナノファイバー、天然ポリマーナノファイバーの誘導体、無機ナノファイバー、またはこれらの任意の組合せから選択される、粒状濾過媒体混合物。
【請求項２】
前記粒状粒子が、１００ミクロンから２，０００ミクロンの平均粒子サイズを有し、前記ナノファイバーが、５ナノメートルから２ミクロンの平均直径を有する、請求項１に記載の粒状濾過媒体混合物。
【請求項３】
前記ナノファイバーが、乾燥重量で、前記粒状濾過媒体の５％未満、４％未満、３％未満、２％未満、または１％未満を構成する、請求項１または２に記載の粒状濾過媒体混合物。
【請求項４】
前記粒状濾過媒体が、３重量％から７０重量％の含水量を有する、請求項１から３のいずれかに記載の粒状濾過媒体混合物。
【請求項５】
前記粒状粒子が、粒状活性炭、粒状活性アルミナ、粒状珪藻土、粒状シリカゲル、粒状ゼオライト、粒状シリケート、粒状合成モレキュラーシーブ、粒状イオン交換樹脂粒子、粒状鉱物粘土、粒状アルミノシリケート、粒状チタネート、粒状骨炭、粒状ＫＤＦプロセス媒体、粒状ヨウ素化樹脂、粒状セラミック、粒状パーライト、粒状砂、イオン交換樹脂と金属酸化物との粒状混成体、活性炭と金属酸化物との粒状混成体、機能化粒状活性炭、ポリマー吸着樹脂、またはこれらの任意の組合せから選択される、請求項１から４のいずれかに記載の粒状濾過媒体混合物。
【請求項６】
前記粒状濾過媒体が、前記粒状粒子とナノファイバーとのブレンドされた混合物である、請求項１から５のいずれかに記載の粒状濾過媒体混合物。
【請求項７】
ナノファイバーを溶媒に分散させるステップと、
粒状粒子を前記溶媒に添加するステップと、
前記溶媒と前記ナノファイバーおよび前記粒状粒子とを混合するステップと、
前記溶媒を分離して、粒状濾過媒体混合物を作製するステップと
を含む、請求項１から６のいずれかに記載の粒状濾過媒体混合物を作製する方法。
【請求項８】
前記粒状濾過媒体混合物を乾燥させるステップをさらに含む、請求項７に記載の方法。
【請求項９】
不純物を含む流体を、請求項１に記載の粒状濾過媒体混合物を含むフィルターに通過させるステップを含む、流体から不純物を除去する方法。
【請求項１０】
前記不純物が鉛である、請求項９に記載の方法。
【請求項１１】
不純物を含む流体を、粒状濾過媒体混合物を含むフィルターに通過させるステップを含む、流体から不純物を除去する方法であって、
前記粒状濾過媒体混合物は粒状粒子およびナノファイバーを含み、前記不純物が、鉛、銅、酸化鉄、酸化水酸化鉄、シリカ、銅、水銀、カドミウム、亜鉛、またはこれらの任意の組合せである、方法。
【請求項１２】
前記流体が空気または水である、請求項１１に記載の方法。
【請求項１３】
請求項１に記載の粒状濾過媒体混合物を含む混合物を有するフィルターチャンバーを含む、フィルター。
【請求項１４】
空気または水から不純物を除去するための、請求項１３に記載のフィルターの使用。
【請求項１５】
ＮＳＦ  ４２／５３のコンプライアンスを満たすように、重力送りまたは低圧送りフィルターで銅、亜鉛、水銀、カドミウム、鉛を除去するための、重力送りおよび／または低圧送り濾過システムにおける、請求項１３に記載のフィルターの使用。
【手続補正２】
【補正対象書類名】明細書
【補正対象項目名】００５２
【補正方法】変更
【補正の内容】
【００５２】
これらおよび他の実施形態は、以下の詳細な説明および実施例を参照することによって、さらに理解されよう。
本発明の実施形態において、例えば以下の項目が提供される。
（項目１）
粒状粒子およびナノファイバーを含む混合物を含む、粒状濾過媒体混合物。
（項目２）
前記粒状粒子が、１００ミクロンから２，０００ミクロンの平均粒子サイズを有し、前記ナノファイバーが、５ナノメートルから２ミクロンの平均直径を有する、項目１に記載の粒状濾過媒体混合物。
（項目３）
前記ナノファイバーが、乾燥重量で、前記粒状濾過媒体の５％未満、４％未満、３％未満、２％未満、または１％未満を構成する、項目１または２に記載の粒状濾過媒体混合物。
（項目４）
前記粒状濾過媒体が、３重量％から７０重量％の含水量を有する、項目１から３のいずれかに記載の粒状濾過媒体混合物。
（項目５）
前記粒状粒子が、粒状活性炭、粒状活性アルミナ、粒状珪藻土、粒状シリカゲル、粒状ゼオライト、粒状シリケート、粒状合成モレキュラーシーブ、粒状イオン交換樹脂粒子、粒状鉱物粘土、粒状アルミノシリケート、粒状チタネート、粒状骨炭、粒状ＫＤＦプロセス媒体、粒状ヨウ素化樹脂、粒状セラミック、粒状パーライト、粒状砂、イオン交換樹脂と金属酸化物との粒状混成体、ポリマー吸着樹脂、またはこれらの任意の組合せから選択され、前記ナノファイバーが、合成ポリマーナノファイバー、天然ポリマーナノファイバー、天然ポリマーナノファイバーの誘導体、無機ナノファイバー、またはこれらの任意の組合せから選択される、項目１から４のいずれかに記載の粒状濾過媒体混合物。
（項目６）
重力濾過媒体が、前記粒状粒子とナノファイバーとのブレンドされた混合物である、項目１から５のいずれかに記載の粒状濾過媒体混合物。
（項目７）
ナノファイバーを溶媒に分散させるステップと、
粒状粒子を前記溶媒に添加するステップと、
前記溶媒と前記ナノファイバーおよび前記粒状粒子とを混合するステップと、
前記溶媒を分離して、粒状濾過媒体混合物を作製するステップと
を含む、粒状濾過媒体混合物を作製する方法。
（項目８）
前記粒状濾過媒体混合物を乾燥させるステップをさらに含む、項目７に記載の方法。
（項目９）
前記粒状粒子が、１００ミクロンから２，０００ミクロンの平均粒子サイズを有し、前記ナノファイバーが、５ナノメートルから２ミクロンの平均直径を有する、項目７または８に記載の方法。
（項目１０）
前記ナノファイバーが、乾燥重量で、前記粒状濾過媒体混合物の５％未満を構成する、項目７から９のいずれかに記載の方法。
（項目１１）
前記粒状粒子が、粒状活性炭、粒状活性アルミナ、粒状珪藻土、粒状シリカゲル、粒状ゼオライト、粒状シリケート、粒状合成モレキュラーシーブ、粒状イオン交換樹脂粒子、粒状鉱物粘土、粒状アルミノシリケート、粒状チタネート、粒状骨炭、粒状ＫＤＦプロセス媒体、粒状ヨウ素化樹脂、粒状セラミック、粒状パーライト、粒状砂、イオン交換樹脂と金属酸化物との粒状混成体、ポリマー吸着樹脂、またはこれらの任意の組合せから選択され、前記ナノファイバーが、合成ポリマーナノファイバー、天然ポリマーナノファイバー、天然ポリマーナノファイバーの誘導体、無機ナノファイバー、またはこれらの任意の組合せから選択される、項目７から１０のいずれかに記載の方法。
（項目１２）
不純物を含む流体を、粒状濾過媒体混合物を含むフィルターに通過させるステップであって、前記粒状濾過媒体混合物が粒状粒子およびナノファイバーを含むステップを含む、流体から不純物を除去する方法。
（項目１３）
前記粒状粒子が、１００ミクロンから２，０００ミクロンの平均粒子サイズを有し、前記ナノファイバーが、５ナノメートルから２ミクロンの平均直径を有する、項目１２に記載の方法。
（項目１４）
前記不純物が、ハロゲン、重金属イオン、有機化合物、コロイド粒子である、項目１２または１３に記載の方法。
（項目１５）
前記不純物が鉛である、項目１２から１４のいずれかに記載の方法。
（項目１６）
前記不純物が、鉛、銅、酸化鉄、酸化水酸化鉄、シリカ、銅、水銀、カドミウム、亜鉛、またはこれらの任意の組合せである、項目１２から１５のいずれかに記載の方法。
（項目１７）
前記流体が空気または水である、項目１２から１６のいずれかに記載の方法。
（項目１８）
粒状濾過媒体とナノファイバーとを含む混合物を有するフィルターチャンバーを含む、フィルター。
（項目１９）
イオン交換樹脂をさらに含む、項目１８に記載のフィルター。
（項目２０）
前記混合物が、前記イオン交換樹脂上に堆積している、項目１８または１９のいずれかに記載のフィルター。
（項目２１）
前記混合物が、第２の粒状濾過媒体をさらに含む、項目１９または２０に記載のフィルター。
（項目２２）
前記フィルターチャンバーが、粒状粒子およびイオン交換樹脂を含む混合物と、イオン交換樹脂上に湿式堆積したナノファイバーとを有する、項目１８から２１のいずれかに記載のフィルター。
（項目２３）
ＮＳＦ  ４２／５３のコンプライアンスを満たすように、重力送りまたは低圧送りフィルターで銅、亜鉛、水銀、カドミウム、鉛を除去するための、重力送りおよび／または低圧送り濾過システムにおける、項目１８から２２のいずれかに記載のフィルターの使用。